(57)【要約】【課題】注文して宅配を受ける生鮮食品を冷却保存可能な宅配食品保冷庫を提供する。【解決手段】保冷庫本体を形成する筺体１Ａの断熱壁１０内に冷却パイプ７が配設された保冷庫１を、玄関ドア２の脇など建物の屋内壁に設置し、屋外側の開閉扉１２を開けて投入された宅配食品１３は、保冷庫内で冷却保存され、必要時に屋内側の開閉扉１４を開けて取り出す。注文者が不在でも宅配可能で再配達しなくても済み、また注文者が取り出すまで新鮮であり、安心して美味しく食することができる。【選択図】  図２
2004325050.tif 000002
【特許請求の範囲】
【請求項１】
冷却装置を具備し、注文により宅配を受ける食材などを収容し冷却保存し得るように成した宅配食品保冷庫。
【請求項２】
室外機と配管接続された冷媒管を周壁に配設した断熱構造の宅配食品受け用の筺体を屋内側に設置し、前記筺体の屋外側に開口する宅配食品投入口と屋内側に開口する取出口にそれぞれ断熱性の開閉扉を設けてなる構造と成したことを特徴とする宅配食品保冷庫。
【請求項３】
前記投入口側の開閉扉を、宅配食品に付したＲＦＩＤタグにより、注文された宅配食品のみの場合に開かれるように成したことを特徴とする請求項２に記載の宅配食品保冷庫。
【請求項４】
前記筺体内に、前後に出し入れ移動自在な宅配食品収容用ケースが設けられていることを特徴とする請求項２，３のいずれかに記載した宅配食品保冷庫。
【発明の詳細な説明】
【０００１】
【発明の属する技術分野】
本発明は、注文して宅配を受ける食材、食品などの生鮮品を収容させ、冷却装置により注文人が取り出すまで新鮮な状態に冷却保存できるようにした宅配食品保冷庫に関する。
【０００２】
【従来の技術】
【０００３】
近年、おかずや麺類など冷凍、冷蔵されている食材を始め様々な食品を、事前に注文し、宅配を受けるサービスが普及しつつある。この場合に、従来では食材を発泡スチロールなど断熱製の保存箱に収容し、また氷を入れたり、さらに氷の量を冷凍品、氷温品、冷蔵品、野菜など食材種に応じて加減して、保存が効くようにして宅配する対応がなされていた。
【０００４】
【発明が解決使用とする課題】
しかし、注文人が不在や帰宅が遅くなったりした場合、宅配した食材の受け取りが遅れ新鮮さが失われるという問題があった。また留守の場合には、一般的に宅配者が一旦持ち帰るようにしており、再度配達する手間が要るなどの問題があった。
【０００５】
本発明は、上記問題に鑑みなされたもので、冷却手段を装備して宅配された食材を収容し、家人が取り出すまでに新鮮な状態に冷却保存することができる宅配食品保冷庫を提供することを目的とするものである。
【０００６】
【課題を解決するための手段】
上記目的を達成するために本発明は、冷却装置を具備し、注文により宅配を受ける食材などを収容し冷却保存し得るように成したものである。
【０００７】
また室外機と配管接続された冷媒管を周壁に配設した断熱構造の宅配食品受け用の筺体を屋内側に設置し、前記筺体の屋外側に開口する宅配食品投入口と屋内側に開口する取出口にそれぞれ断熱性の開閉扉を設けてなる構造としたものである。
【０００８】
また前記投入口側の開閉扉を、宅配食品に付したＲＦＩＤタグにより、注文された宅配便のみの場合に開かれるように成したものである。
【０００９】
また前記筺体内に、前後に出し入れ移動自在な宅配食品収容用ケースが設けられているものである。
【００１０】
【発明の実施の形態】
以下、本発明の実施形態を図面に基づき説明する。
【００１１】
図１は、本発明の宅配食品保冷庫を家に装備した全体的な概略構成図で、家Ｈの出入口例えば玄関や勝手口などのドア２の横の壁部３に、宅配食品保冷庫（以下保冷庫と略記する）１を設置口を形成して、その設置口に保冷庫１が配設されたものとなっている。該保冷庫１はそれ専用に設けた冷却装置４により冷却される。５はその冷却装置４の室外機であり、６は該室外機５と保冷庫１側に配設した冷却器すなわち冷却パイプ７（図２参照）を接続する冷媒配管を示す。冷却装置４は、前記室外機５、冷却パイプ６および冷媒配管７などより構成されている。また冷却装置４は屋内側で運転スイッチや温度調整スイッチなどにて運転停止や冷却能力の調整、設定などを遠隔制御できるようにし、保冷庫１内を注文した食品種に適した冷蔵温度に容易に切換設定したり、あるいは宅配される時間を見込んで事前に冷却運転させるなど、効率的で経済的な稼働を行えるようなものとする。
【００１２】
図２は保冷庫１の設置構造を示す。同図に示すように、保冷庫１は、その本体となる前後が開口８，９した筺体１Ａを有し、該筺体１Ａは金属製の外箱、内箱との間に発泡ウレタンなどの断熱材を充填して形成されたものであり、筺体１Ａの前記開口８，９以外の上下面、左右側面の４面は所要厚みの断熱壁１０にて形成されている。そしてこの筺体１Ａの上記４面の断熱壁１０中には、室外機５と接続する冷却パイプ７が筺体１Ａを囲繞するように配設されている。
【００１３】
また前記筺体１Ａの前方開口８は、手前に開くよう下端部を枢支して設けられた開閉扉１２にて開閉自在とされ、宅配者が扉１２を把手１２ｂにて開けて食材１３を筺体１Ａ内へ収納する。同様に前記筺体１Ａの後方開口９も手前に開くよう下端部を枢支して設けられた開閉扉１４にて開閉自在とされ、家人が扉１４を把手１４ｂにて開け筺体１Ａ内に収容されている食材１３を取り出す。これら両方の扉１２，１４も発泡ウレタンなどが充填されて形成された断熱扉である。また双方の扉１２，１４は各開口８，９との間で、パッキングなどの気密部材が介在し、冷気の漏洩また外気の侵入を断つようにした断熱性を高めた扉の取り付け構造とされている。
【００１４】
また筺体１Ａの内部の収容室１６には、前後方向に引き出せるよう下部にローラー１７を有した収容ケース１８が配設されており、食材１３はこの収容ケース１８に入れられ、また取り出される。食材１３は収容ケース１８に入れられることにより、確実にかつ衛生的にストックされる。
【００１５】
ここで収容ケース１８を引き出した際に保冷庫１から脱落したりしないように、ストッパー機構を設けている。すなわち、函体１Ａの底面の前方開口８側にはピンｐ１が、後方開口９側にはピンｐ２が形成されている。ピンｐ１，ｐ２は図３の平面図に示すように、収容ケース１８の移動方向に平行な２つのラインＬ１，Ｌ２上に形成されている。また収容ケース１８の下部にはピンガイド部材ＰＧが設けられている。このピンガイド部材ＰＧには、ラインＬ１，Ｌ２間隔でガイドスリットＧ１，Ｇ２が形成されている。ガイドスリットＧ１は、収容ケース１８が屋内側から屋外側に向けて移動するときにピンｐ１をガイドし、収容ケース１８が屋外側に引き出されたときに、ガイドスリットＧ１終端とピンｐ１とが当接して、当該収容ケース１８が保冷庫１内部から屋外側に脱落するのを防止する。またガイドスリットＧ２は、収容ケース１８が屋外側から屋内側へ向けて移動するときにピンｐ２をガイドし、収容ケース１８が屋内側に引き出されたときに、ガイドスリットＧ２終端とピンｐ２とが当接して、当該収容ケース１８が保冷庫１内部から屋内側に脱落するのを防止する。このように収容ケース１８が保冷庫１より前後に引き出されても、ストッパー機構により脱落しない。なおこのとき、前後の開閉扉１２，１４は９０度まで完全に開きその状態で保持され、函体１Ａの底面と面一となって、収容ケース１８の走行路面ともなるようになっている。
【００１６】
このように外部より宅配食品を受け入れ可能とされ、受け入れ食品を冷却装置にて冷却保存できる保冷庫１を家側に設けているので、注文人が取り出すまで新鮮な状態が維持され、美味しく賞味することができる。また不在であっても宅配することができ、再配達する必要も無くなり、宅配業者にとっても便宜である。
【００１７】
ところで、保冷庫１の投入口側の開閉扉１２は、自由に開くものであると、収容物の盗難や不審者によって不要物が入れられたり、悪戯されるなどの懸念もあるので、安全面上から自由に開かないような機構にする。
【００１８】
そのための手段として、近年住居の不審者侵入を防ぐべく特定者だけを識別し出入りを許可するセキュリティシステムやキャッシュカードなどの個人確認のために利用されつつある、非接触型のＩＣカード（以下ＲＦＩＤタグという）を利用した識別装置を応用する。この識別装置により、外部側の開閉扉１２の施錠装置を解錠し、開閉扉を開けるように制御する。
【００１９】
すなわち、注文品に商品種データを記憶した非接触型のＩＣカード（以下ＲＦＩＤタグという）２０を貼着する。一方、玄関ドア２の所には、質問器２１を設置する。この質問器２１には注文品の品種名、数量などの特定データが記憶されている。宅配業者が納入する食品の品種と数量を即座に調べ、注文内容と合致すれば、扉１２のロックを解除する様な構成にすれば、宅配業者が再度注文内容や注文人の氏名、住所、電話番号等の個人情報を確認する手間がはぶける。
【００２０】
これにより、上記ＲＦＩＤタグ２０の付与された注文品を携行していない者は、質問器２１が特定者と識別しないので、外部扉１２は開かない。このため保冷庫１が不用意に開けられることは無く安全性が維持される。
【００２１】
【発明の効果】
本発明では、注文して届けられる食品を受け入れて、冷却装置により冷却させておける宅配食品の保冷庫であるので、注文者が不在であっても取り出すまで新鮮な状態に維持できる。このため、注文者は配達後の後刻であっても安心して美味しく賞味することができる。また宅配業者にとっても注文者不在時も送り届けることができ、再配達しなくても済むようになり効率的に業務をこなせる。
【００２２】
また宅配食品は、冷却パイプを内設した断熱構造の保冷庫の筺体内に屋外側に開く断熱性の開閉扉を開けて投入し、また屋内側の断熱性の開閉扉を開けて随時に取り出せるものなので、食品の確実で容易な投入と取り出しが行えかつ万全に冷却保存することができる。
【００２３】
また宅配食品にＲＦＩＤタグを付与することにより、投入口側の開閉扉は注文品と識別された場合にのみ開閉できるようにするにしたので、無闇に保冷庫が外部から開けられることは無く、盗難や悪戯などされない安全性の高い保冷庫とすることができる。
【００２４】
さらに保冷庫内に設けた出し入れ自在な収納ケースにより、食品の出し入れ作業がし易く、また量的に多くても整頓して収容され品物が傷付かないで、かつ衛生的にストックすることができる。
【図面の簡単な説明】
【図１】屋内に設置した本発明の宅配食品保冷庫の概略的な構成図。
【図２】家の玄関口脇に本発明の宅配食品保冷庫を設置した実施態様を示す要部構造断面図。
【図３】引き出し自在な収容ケースの脱落防止のためのストッパー機構を示す平面図。
【符号の説明】
１            宅配食品保冷庫
１Ａ          筺体
２            玄関ドア
４            冷却装置
７            冷却パイプ
８，９        開口
１０          断熱材
１２，１４    開閉扉
１３          宅配食品
２０          ＲＦＩＤタグ
２１          質問器
【図１】
2004325050.tif 000003
【図２】
2004325050.tif 000004
【図３】
2004325050.tif 000005